(57)【要約】【課題】映像出力制御に優れた映像出力制御装置を提供すること。【解決手段】実施形態の映像変換装置は、検出手段と、制御手段とを備える。前記検出手段は、映像表示装置の能力を検出する。前記制御手段は、前記検出手段により検出された前記能力に基づき、前記映像表示装置に対して２Ｄ映像又は３Ｄ映像を出力するように制御する。【選択図】図８
2011254164.tif 000002
【特許請求の範囲】
【請求項１】
映像表示装置の能力を検出する検出手段と、
前記検出手段により検出された前記能力に基づき、前記映像表示装置に対して２Ｄ映像又は３Ｄ映像を出力するように制御する制御手段と、
を備えた映像出力制御装置。
【請求項２】
前記検出手段により検出された前記能力に基づき、前記２Ｄ映像を前記３Ｄ映像へ変換する３Ｄ変換の有効又は無効を判定する判定手段を備えた請求項１に記載の映像出力制御装置。
【請求項３】
前記判定手段による前記３Ｄ変換の有効判定に対応して、前記２Ｄ映像を前記３Ｄ映像へ変換する変換手段と、
前記判定手段による前記３Ｄ変換の有効判定に対応して、前記映像表示装置に対して前記３Ｄ映像を出力する出力手段と、
を備えた請求項２に記載の映像出力制御装置。
【請求項４】
前記出力手段は、前記判定手段による前記３Ｄ変換の無効判定に対応して、前記映像表示装置に対して前記２Ｄ映像を出力する請求項２に記載の映像出力制御装置。
【請求項５】
前記検出手段は、３Ｄ映像非対応の第１の映像表示装置の接続を検出し、
前記制御手段は、前記第１の映像表示装置の接続検出に対応して、前記第１の映像表示装置に対して前記２Ｄ映像を出力するように制御する請求項１に記載の映像出力制御装置。
【請求項６】
前記検出手段は、３Ｄ映像対応の第２の映像表示装置の接続を検出し、
前記制御手段は、前記第２の映像表示装置の接続検出に対応して、前記第２の映像表示装置に対して前記３Ｄ映像を出力するように制御する請求項１に記載の映像出力制御装置。
【請求項７】
前記検出手段は、前記２Ｄ映像を前記３Ｄ映像へ変換不能に構成され且つ前記３Ｄ映像を出力可能に構成された第２の映像表示装置の接続を検出し、
前記制御手段は、前記第２の映像表示装置の接続検出に対応して、前記第２の映像表示装置に対して前記３Ｄ映像を出力するように制御する請求項１に記載の映像出力制御装置。
【請求項８】
前記検出手段は、前記２Ｄ映像を前記３Ｄ映像へ変換可能に構成され且つ前記３Ｄ映像を出力可能に構成された第３の映像表示装置の接続を検出し、
前記制御手段は、前記第３の映像表示装置の接続検出に対応して、前記第３の映像表示装置に対して前記２Ｄ映像を出力するように制御する請求項１に記載の映像出力制御装置。
【請求項９】
前記検出手段は、前記２Ｄ映像を前記３Ｄ映像へ変換可能に構成され且つ前記３Ｄ映像を出力可能に構成された第３の映像表示装置の接続を検出し、さらに、前記第３の映像表示装置の３Ｄ変換能力を検出し、
前記制御手段は、前記第３の映像表示装置の３Ｄ変換能力が前記変換手段の３Ｄ変換能力より高い場合に、前記第３の映像表示装置の接続検出に対応して、前記第３の映像表示装置に対して前記２Ｄ映像を出力するように制御する請求項１に記載の映像出力制御装置。
【請求項１０】
前記制御手段は、前記第３の映像表示装置に対して３Ｄ変換の指示を出力するように制御する請求項８又は９に記載の映像出力制御装置。
【請求項１１】
前記変換手段は、前記第１の映像表示装置の接続検出に対応して、前記３Ｄ映像を前記２Ｄ映像へ変換し、
前記制御手段は、前記第１の映像表示装置の接続検出に対応して、前記第１の映像表示装置に対して前記２Ｄ映像を出力するように制御する請求項５に記載の映像出力制御装置。
【請求項１２】
映像表示装置の能力を検出し、
前記能力に基づき、前記映像表示装置に対して２Ｄ映像又は３Ｄ映像を出力するように制御する映像出力制御方法。
【発明の詳細な説明】
【技術分野】
【０００１】
本発明の実施形態は、映像の出力を制御する映像出力制御装置及び映像出力制御方法に関する。
【背景技術】
【０００２】
近年、３Ｄ映像（3-dimensional image）の表示が望まれており、３Ｄ映像に対応したテレビ及びプレイヤーが今後普及すると考えられる。３Ｄ映像対応機器としては、３Ｄ変換機能を備える３Ｄ変換機能搭載機器と、３Ｄ変換機能非搭載機器とが考えられる。３Ｄ変換機能搭載機器は、３Ｄ変換機能により、２Ｄ映像（2-dimensional image）（放送波、ＤＶＤなどのコンテンツ）を３Ｄ映像に変換し、３Ｄ映像を出力することができる。これに対して、３Ｄ変換機能非搭載機器は、３Ｄ映像のコンテンツに基づき、３Ｄ映像を出力することができる。
【０００３】
テレビの場合、以下の能力のテレビが考えられる。
【０００４】
（１）３Ｄ映像非対応テレビ
（２）３Ｄ映像対応であって、２Ｄ映像を３Ｄ映像へ変換する３Ｄ変換機能を搭載しない３Ｄ変換機能非搭載テレビ
（３）３Ｄ映像対応であって、２Ｄ映像を３Ｄ映像へ変換する３Ｄ変換機能を搭載した３Ｄ変換機能搭載テレビ
【先行技術文献】
【特許文献】
【０００５】
【特許文献１】特開２００６−１２１５５３号公報
【発明の概要】
【発明が解決しようとする課題】
【０００６】
プレイヤーは、上記した種々の能力のテレビと接続されることが想定される。
【０００７】
しかしながら、プレイヤーが、接続相手（テレビ）側の能力に応じて、どのように動作すべきか、又はどのような制御を実行すべきかについてはこれまで十分に検討が成されていない。
【０００８】
例えば、３Ｄ映像対応のプレイヤーが、３Ｄ映像非対応のテレビに接続された場合、３Ｄ映像対応のプレイヤーが、３Ｄ映像非対応のテレビに対して、３Ｄ映像を出力しても、３Ｄ映像非対応のテレビは、３Ｄ映像を表示することはできない。
【０００９】
本発明の目的は、映像出力制御に優れた映像出力制御装置及び映像出力制御方法を提供することにある。
【課題を解決するための手段】
【００１０】
実施形態の映像変換装置は、検出手段と、制御手段とを備える。前記検出手段は、映像表示装置の能力を検出する。前記制御手段は、前記検出手段により検出された前記能力に基づき、前記映像表示装置に対して２Ｄ映像又は３Ｄ映像を出力するように制御する。
【図面の簡単な説明】
【００１１】
【図１】第１〜第５の実施形態で共通の映像表示システムの一例を示す図であって、第１の接続例を示す図である。
【図２】第１及び第４の実施形態で共通の映像表示システムの一例を示す図であって、第２の接続例を示す図である。
【図３】第１及び第４の実施形態で共通の映像表示システムの一例を示す図であって、第３の接続例を示す図である。
【図４】図３に示す映像表示装置に対応したリモートコントローラの一例を示す図である。
【図５】図１〜図３に示す映像再生装置に対応したリモートコントローラの一例を示す図である。
【図６】第１の実施形態のアラート表示の一例を示す図である。
【図７】第２の実施形態のアラート表示の一例を示す図である。
【図８】第１及び第４の実施形態の映像変換制御及びアラート等の情報出力制御の一例を示すフローチャートである。
【発明を実施するための形態】
【００１２】
以下、図面を参照し、第１〜第５の実施形態について説明する。
【００１３】
図１は、第１〜第５の実施形態で共通の映像表示システムの一例を示す図であって、３Ｄ映像非対応の映像表示装置と３Ｄ映像対応且つ３Ｄ変換機能搭載の映像再生装置との接続例を示す図である。図２は、第１及び第４の実施形態で共通の映像表示システムの一例を示す図であって、３Ｄ映像対応且つ３Ｄ変換機能非搭載の映像表示装置と３Ｄ映像対応且つ３Ｄ変換機能搭載の映像再生装置との接続例を示す図である。図３は、第１及び第４の実施形態で共通の映像表示システムの一例を示す図であって、３Ｄ映像対応且つ３Ｄ変換機能搭載の映像表示装置と３Ｄ映像対応且つ３Ｄ変換機能搭載の映像再生装置との接続例を示す図である。なお、映像再生装置の３Ｄ変換機能は、各実施形態の内容に応じて、オプションであってもよい。
【００１４】
図１に示す映像表示装置１（第１の映像表示装置）は、３Ｄ映像非対応であり、３Ｄ映像を表示することはできない。映像表示装置１は、例えばデジタルテレビジョン受信装置である。一方の映像再生装置２は、例えばＤＶＤプレイヤー、ＢＤプレイヤー、又はセットトップボックスである。
【００１５】
映像表示装置１は、コントローラ１１、インターフェース１２、映像処理モジュール１３（３Ｄ映像非対応）、入力部１４、信号受信部１５、インターフェース１６、蓄積デバイス１７、チューナー１８、液晶パネル１９を備えている。
【００１６】
一方の映像再生装置２は、コントローラ２１、インターフェース２２、映像処理モジュール２３、入力部２４、信号受信部２５、インターフェース２６、蓄積デバイス２７、チューナー２８を備えている。蓄積デバイス１７、２７は、例えばＤＶＤ、ＢＤ、ＨＤＤ等である。
【００１７】
図２に示す映像表示装置１’（第２の映像表示装置）は、３Ｄ映像対応であり、３Ｄ映像を表示することができる。しかしながら、映像表示装置１’は、２Ｄ映像を３Ｄ映像へ変換する３Ｄ変換機能を備えていない。映像表示装置１と同様に、映像表示装置１’も、例えばデジタルテレビジョン受信装置である。
【００１８】
映像表示装置１’は、コントローラ１１、インターフェース１２、映像処理モジュール１３’、入力部１４、信号受信部１５、インターフェース１６、蓄積デバイス１７、チューナー１８、液晶パネル１９を備えている。映像処理モジュール１３’は、３Ｄ映像を出力可能に構成されているが、３Ｄ変換機能は備えていない。
【００１９】
なお、図２に示す映像再生装置２は、図１に示す映像再生装置２と同一である。
【００２０】
図３に示す映像表示装置１’’（第３の映像表示装置）は、３Ｄ映像対応であり、３Ｄ映像を表示することができる。しかも、映像表示装置１’’は、２Ｄ映像を３Ｄ映像へ変換する３Ｄ変換機能を備えている。映像表示装置１と同様に、映像表示装置１’’も、例えばデジタルテレビジョン受信装置である。
【００２１】
映像表示装置１’’は、コントローラ１１、インターフェース１２、映像処理モジュール１３’’、入力部１４、信号受信部１５、インターフェース１６、蓄積デバイス１７、チューナー１８、液晶パネル１９を備えている。映像処理モジュール１３’’は、３Ｄ映像を出力可能に構成されており、しかも３Ｄ変換機能（３Ｄ変換処理モジュール１３１）を備えている。
【００２２】
なお、図３に示す映像再生装置２は、図１に示す映像再生装置２と同一である。
【００２３】
以下、図３を参照して、映像表示装置１’’と映像再生装置２について説明し、その後で、映像表示装置１と、映像表示装置１’と、映像表示装置１’’との構成の違いについて説明する。
【００２４】
映像表示装置１’’は、インターフェース１２を介して、映像再生装置２（つまりインターフェース２２）と接続可能に構成されている。言い換えれば、映像再生装置２は、インターフェース２２を介して、映像表示装置１’’（つまりインターフェース１２）と接続可能に構成されている。
【００２５】
インターフェース１２、２２は、双方向通信手段であり、例えばＨＤＭＩ（High-Definition Multimedia Interface）（登録商標）規格に準拠したインターフェースである。映像再生装置２は、インターフェース２２を介して、映像表示装置１’’に対して映像信号及びオーディオ信号を送信することができ、映像表示装置１’’は、インターフェース１２を介して、映像再生装置２から送信された映像信号及びオーディオ信号を受信することができる。
【００２６】
さらに、ＨＤＭＩ規格は、ＨＤＭＩ−ＣＥＣ（Consumer Electronics Control）規格を定めている。インターフェース１２、２２のＨＤＭＩ−ＣＥＣ機能により、映像再生装置２のコントローラ２１は、インターフェース２２を介して、映像表示装置１’’に対して制御信号を送信することができ、映像表示装置１’’は、インターフェース１２を介して、映像再生装置２から送信された制御信号を受信することができ、映像表示装置１’’のコントローラ１１は、受信した制御信号に基づき各種動作を制御することができる。
【００２７】
上記したように、インターフェース１２、２２は、制御信号の送受信可能に構成されている。これにより、インターフェース１２、２２を介して映像表示装置１’’と映像再生装置２とが接続されると、映像表示装置１’’のコントローラ１１は、インターフェース１２、２２を介して、映像再生装置２に対して映像処理モジュール１３’’の処理能力を通知し、また、映像再生装置２のコントローラ２１は、インターフェース１２、２２を介して、映像処理モジュール２３の処理能力を通知することができる。
【００２８】
つまり、インターフェース１２、２２を介して映像表示装置１’’と映像再生装置２とが接続されると、映像表示装置１’’のコントローラ１１は、映像再生装置２の接続を検出するとともに、映像処理モジュール２３の処理能力も検出することができ、また、映像再生装置２のコントローラ２１は、映像表示装置１’’の接続を検出するとともに、映像処理モジュール１３’’の処理能力も検出することができる。
【００２９】
入力部１４は、３Ｄ変換キー（２Ｄ→３Ｄ変換キー）１４１、２Ｄ変換キー（３Ｄ→２Ｄ変換キー）１４２などの複数キーを備える。３Ｄ変換キー１４１は、入力映像を３Ｄ映像へ変換する３Ｄ変換を指示するためのキーである。例えば、３Ｄ変換キー１４１が押下されると、入力部１４は３Ｄ変換（３Ｄ変換オン）を指示し、再度、３Ｄ変換キー１４１が押下されると、入力部１４は３Ｄ変換解除（３Ｄ変換オフ）を指示する。２Ｄ変換キー１４２は、入力映像を２Ｄ映像へ変換する２Ｄ変換を指示するためのキーである。例えば、２Ｄ変換キー１４２が押下されると、入力部１４は２Ｄ変換（２Ｄ変換オン）を指示し、再度、２Ｄ変換キー１４２が押下されると、入力部１４は２Ｄ変換解除（２Ｄ変換オフ）を指示する。
【００３０】
信号受信部１５は、図４に示すリモートコントローラ１５０からの信号を受信する。図４に示すように、リモートコントローラ１５０は、３Ｄ変換キー（２Ｄ→３Ｄ変換キー）１５１、２Ｄ変換キー（３Ｄ→２Ｄ変換キー）１５２などの複数キーを備える。３Ｄ変換キー１５１は、３Ｄ変換キー１４１と実質的に同一であり、その機能説明は省略する。２Ｄ変換キー１５２も、２Ｄ変換キー１４２と実質的に同一であり、その機能説明は省略する。
【００３１】
なお、３Ｄ変換キー１４１と２Ｄ変換キー１４２との替わりに、例えば１つの２Ｄ／３Ｄ変換キーを設けるようにしてもよい。例えば、この２Ｄ／３Ｄ変換キーが１回押下されると、２Ｄ／３Ｄ変換キーは、入力映像を３Ｄ映像へ変換する３Ｄ変換を指示し、この２Ｄ／３Ｄ変換キーが連続して２回押下されると、２Ｄ／３Ｄ変換キーは、入力映像を２Ｄ映像へ変換する２Ｄ変換を指示する。
【００３２】
同様に、入力部２４は、３Ｄ変換キー（２Ｄ→３Ｄ変換キー）２４１、２Ｄ変換キー（３Ｄ→２Ｄ変換キー）２４２などの複数キーを備える。３Ｄ変換キー２４１は、３Ｄ変換キー１４１と実質的に同一であり、その機能説明は省略する。２Ｄ変換キー２４２も、２Ｄ変換キー１４２と実質的に同一であり、その機能説明は省略する。なお、３Ｄ変換キー２４１と２Ｄ変換キー２４２との替わりに、例えば１つの２Ｄ／３Ｄ変換キーを設けるようにしてもよい。
【００３３】
信号受信部２５は、図５に示すリモートコントローラ２５０からの信号を受信する。図５に示すように、リモートコントローラ２５０は、３Ｄ変換キー（２Ｄ→３Ｄ変換キー）２５１、２Ｄ変換キー（３Ｄ→２Ｄ変換キー）２５２などの複数キーを備える。３Ｄ変換キー２５１は、３Ｄ変換キー１４１と実質的に同一であり、その機能説明は省略する。２Ｄ変換キー２５２も、２Ｄ変換キー１４２と実質的に同一であり、その機能説明は省略する。
【００３４】
映像処理モジュール２３は、３Ｄ変換処理モジュール２３１、２Ｄ変換処理モジュール２３２、案内情報出力モジュール（アラート発生モジュール）２３３を備えている。３Ｄ変換処理モジュール２３１は、蓄積デバイス２７又はチューナー２８からのオリジナル映像信号（２Ｄ映像信号）を３Ｄ映像信号に変換して出力する。つまり、３Ｄ変換処理モジュール２３１は、インターフェース２６を介して入力されるオリジナル映像信号（２Ｄ映像信号）を３Ｄ映像信号に変換して出力する。
【００３５】
２Ｄ変換処理モジュール２３２は、蓄積デバイス２７又はチューナー２８からのオリジナル映像信号（３Ｄ映像信号）を２Ｄ映像信号に変換して出力する。つまり、２Ｄ変換処理モジュール２３２は、インターフェース２６を介して入力されるオリジナル映像信号（３Ｄ映像信号）を２Ｄ映像信号に変換して出力する。案内情報出力モジュール２３３は、各種案内情報に対応した案内映像信号を出力する。
【００３６】
なお、映像処理モジュール２３は、上記したように、２Ｄ変換された２Ｄ映像信号又は３Ｄ変換された３Ｄ変換信号を出力することもできるし、オリジナル映像信号（２Ｄ映像信号又は３Ｄ映像信号）をそのまま出力することもできる。
【００３７】
インターフェース２２は、映像処理モジュール２３から出力される２Ｄ映像信号、３Ｄ映像信号、又は案内映像信号を出力することができる。又は、インターフェース２２は、２Ｄ映像信号と案内映像信号とを合成した２Ｄ合成映像信号、又は３Ｄ映像信号と案内映像信号とを合成した３Ｄ合成映像信号を出力することができる。又は、インターフェース２２は、オリジナル映像信号（２Ｄ映像信号又は３Ｄ映像信号）を出力する。
【００３８】
インターフェース１２は、上記した２Ｄ映像信号、３Ｄ映像信号、又は案内映像信号を入力することができる。又は、インターフェース１２は、上記した２Ｄ合成映像信号、又は３Ｄ合成映像信号を入力することができる。又は、インターフェース１２は、オリジナル映像信号（２Ｄ映像信号又は３Ｄ映像信号）を入力することができる。
【００３９】
映像処理モジュール１３’’は、３Ｄ映像に対応した映像処理モジュールであり、３Ｄ変換処理モジュール１３１、２Ｄ変換処理モジュール１３２、案内情報出力モジュール（アラート発生モジュール）１３３を備えている。３Ｄ変換処理モジュール１３１は、インターフェース１２又はチューナー１８を介して入力された入力映像信号（２Ｄ映像信号又は２Ｄ合成映像信号）を３Ｄ映像信号に変換して出力する。２Ｄ変換処理モジュール１３２は、インターフェース１２又はチューナー１８を介して入力された入力映像信号（３Ｄ映像信号又は３Ｄ合成映像信号）を２Ｄ映像信号に変換して出力する。案内情報出力モジュール１３３は、各種案内情報（例えば後述するアラート）に対応した案内映像信号を出力する。
【００４０】
液晶パネル１９は、映像処理モジュール１３’’から出力される２Ｄ映像信号及び案内映像信号のうちの少なくとも一つの映像信号に基づき映像を表示する。例えば、映像処理モジュール１３’’が、２Ｄ映像信号及び案内映像信号を合成して２Ｄ合成映像信号を出力する場合、液晶パネル１９は、２Ｄ映像信号に対応した２Ｄ映像を表示するとともに、表示された２Ｄ映像上に重ねて案内映像信号に対応した案内映像を表示することができる。
【００４１】
又は、液晶パネル１９は、映像処理モジュール１３’’から出力される３Ｄ映像信号及び案内映像信号のうちの少なくとも一つの映像信号に基づき映像を表示する。例えば、映像処理モジュール１３’’が、３Ｄ映像信号及び案内映像信号を合成して３Ｄ合成映像信号を出力する場合、液晶パネル１９は、３Ｄ映像信号に対応した３Ｄ映像を表示するとともに、表示された３Ｄ映像上に重ねて案内映像信号に対応した案内映像を表示することができる。
【００４２】
なお、３Ｄ変換処理モジュール１３１、２３１における３Ｄ変換処理、及び２Ｄ変換処理モジュール１３２、２３２における２Ｄ変換処理には、例えば、特開２００６−１２１５５３号公報に開示された２Ｄ変換処理及び３Ｄ変換処理を適用することができる。
【００４３】
次に、映像表示装置１’’による映像変換制御について説明する。
【００４４】
上記したように、映像表示装置１’’の入力部１４は、３Ｄ変換キー（２Ｄ→３Ｄ変換キー）１４１、２Ｄ変換キー（３Ｄ→２Ｄ変換キー）１４２を備える。３Ｄ映像の表示を希望するユーザは、例えば、３Ｄ変換キー１４１を押下する。３Ｄ変換キー１４１の押下に対応して、入力部１４は、コントローラ１１に対して３Ｄ変換を指示する。コントローラ１１は、各種条件に基づき、３Ｄ変換の指示の有効又は無効を判定し、有効判定の場合に映像処理モジュール１３’’に対して３Ｄ変換を指示し、３Ｄ変換処理モジュール１３１は３Ｄ変換処理を実行する。例えば、コントローラ１１は、インターフェース１２を介して入力された映像信号が３Ｄ映像であることを検出した場合、３Ｄ変換の指示を無効と判定する。
【００４５】
３Ｄメガネを使用したくないなどの理由で、２Ｄ映像の表示を希望するユーザは、例えば、２Ｄ変換キー１４２を押下する。２Ｄ変換キー１４２の押下に対応して、入力部１４は、コントローラ１１に対して２Ｄ変換を指示する。コントローラ１１は、各種条件に基づき、２Ｄ変換の指示の有効又は無効を判定し、有効判定の場合に映像処理モジュール１３’’に対して２Ｄ変換を指示し、２Ｄ変換処理モジュール１３２は２Ｄ変換処理を実行する。例えば、コントローラ１１は、インターフェース１２を介して入力された映像信号が２Ｄ映像であることを検出した場合、２Ｄ変換の指示を無効と判定する。
【００４６】
なお、上記説明では、３Ｄ変換キー１４１による３Ｄ変換又は２Ｄ変換キー１４２による２Ｄ変換を指示するケースについて説明したが、映像再生装置１の液晶パネル１９に表示されるメニュー画面等を介して、３Ｄ変換又は２Ｄ変換を指示することもできる。また、リモートコントローラ１５０に設けられた３Ｄ変換キー１５１又は２Ｄ変換キー１５２を介して、３Ｄ変換又は２Ｄ変換を指示することもできる。
【００４７】
次に、映像再生装置２による映像変換制御について説明する。
【００４８】
上記したように、映像再生装置２の入力部２４は、３Ｄ変換キー（２Ｄ→３Ｄ変換キー）２４１、２Ｄ変換キー（３Ｄ→２Ｄ変換キー）２４２を備える。３Ｄ映像の表示を希望するユーザは、例えば、３Ｄ変換キー２４１を押下する。３Ｄ変換キー２４１の押下に対応して、入力部２４は、コントローラ２１に対して３Ｄ変換を指示する。コントローラ２１は、各種条件に基づき、３Ｄ変換の指示の有効又は無効を判定し、有効判定の場合に映像処理モジュール２３に対して３Ｄ変換を指示し、３Ｄ変換処理モジュール２３１は３Ｄ変換処理を実行する。例えば、コントローラ２１は、インターフェース２６を介して入力された映像信号が３Ｄ映像であることを検出した場合、３Ｄ変換の指示を無効と判定する。
【００４９】
３Ｄメガネを使用したくないなどの理由で、２Ｄ映像の表示を希望するユーザは、例えば、２Ｄ変換キー２４２を押下する。２Ｄ変換キー２４２の押下に対応して、入力部２４は、コントローラ２１に対して２Ｄ変換を指示する。コントローラ２１は、各種条件に基づき、２Ｄ変換の指示の有効又は無効を判定し、有効判定の場合に映像処理モジュール２３に対して２Ｄ変換を指示し、２Ｄ変換処理モジュール２３２は２Ｄ変換処理を実行する。コントローラ２１は、インターフェース２６を介して入力された映像信号が２Ｄ映像であることを検出した場合、２Ｄ変換の指示を無効と判定する。
【００５０】
なお、上記説明では、３Ｄ変換キー２４１による３Ｄ変換又は２Ｄ変換キー２４２による２Ｄ変換を指示するケースについて説明したが、映像再生装置１の液晶パネル１９に表示されるメニュー画面等を介して、３Ｄ変換又は２Ｄ変換を指示することもできる。また、リモートコントローラ２５０に設けられた３Ｄ変換キー２５１又は２Ｄ変換キー２５２を介して、３Ｄ変換又は２Ｄ変換を指示することもできる。
【００５１】
上記説明したように、図３に示す映像表示装置１’’は、映像処理モジュール１３’’を備え、映像処理モジュール１３’’は、３Ｄ映像を出力可能に構成されており、しかも、２Ｄ映像を３Ｄ映像へ変換する３Ｄ変換機能（３Ｄ変換処理モジュール１３１）を備えている。図３に示すように、例えば、映像処理モジュール１３’は、案内情報出力モジュール（アラート発生モジュール）１３３を備えている。
【００５２】
これに対して、図２に示す映像表示装置１’は、映像処理モジュール１３’を備え、映像処理モジュール１３’は、３Ｄ映像を出力可能に構成されているが、２Ｄ映像を３Ｄ映像へ変換する３Ｄ変換機能を備えていない。図２に示すように、例えば、映像処理モジュール１３’は、案内情報出力モジュール（アラート発生モジュール）１３３を備えている。
【００５３】
また、図１に示す映像表示装置１は、映像処理モジュール１３を備え、映像処理モジュール１３は、３Ｄ映像を出力可能に構成されていない。図１に示すように、例えば、映像処理モジュール１３は、案内情報出力モジュール（アラート発生モジュール）１３３を備えている。
【００５４】
以下、図１〜図３に示す接続例及び図８に示すフローチャートを参照し、第１〜第３の実施形態に示すアラート等の情報出力制御について説明する。
【００５５】
（第１の実施形態）
第１の実施形態では、映像再生装置２によるアラート等の情報出力制御について説明する。上記説明したように、映像再生装置２（映像処理モジュール２３）は、３Ｄ映像対応であり、２Ｄ映像及び３Ｄ映像を出力可能に構成されている。第１の実施形態では、映像再生装置２は、３Ｄ変換処理モジュール２３１を必須構成として備え、２Ｄ変換処理モジュール２３２をオプション構成として備える。
【００５６】
（１）図１に示す接続例のケース（映像表示装置１（テレビ）側が３Ｄ映像非対応のケース）
映像表示装置１と映像再生装置２とが接続された際（映像再生装置２が映像表示装置１を認識した際）、又は映像再生装置２による映像再生処理の際に、映像再生装置２のコントローラ２１は、インターフェース２２を介して接続された映像表示装置１の能力（３Ｄ映像非対応能力）を検出（受信）する（ＳＴ１０１）。
【００５７】
映像再生装置２のコントローラ２１は、検出された能力（３Ｄ映像非対応能力）に基づき（ＳＴ１１１、ＹＥＳ）、映像表示装置１に対して、好適な情報（３Ｄ映像非対応であることを示すアラートメッセージ）を生成（又は選択）し出力するように制御する。これに対応して、映像再生装置２の案内情報出力モジュール２３３は、インターフェース２２を介して、映像表示装置１に対して、アラートメッセージを生成（又は選択）し出力する（ＳＴ１１５）。さらに、コントローラ２１が、このアラートメッセージの表示を制御するための表示制御情報を出力することもできる。
【００５８】
映像表示装置１は、インターフェース１２を介して、アラートメッセージを受信し、映像表示装置１の案内情報出力モジュール１３３は、受信したアラートメッセージの出力を制御し、液晶パネル１９は、アラートメッセージを表示する（ＳＴ１１６）。或いは、映像表示装置１は、インターフェース１２を介して、上記した表示制御情報及びアラートメッセージを受信し、映像表示装置１の案内情報出力モジュール１３３は、表示制御情報に基づき、受信したアラートメッセージの出力を制御し、液晶パネル１９は、アラートメッセージを表示する（ＳＴ１１６）。
【００５９】
つまり、３Ｄ映像非対応の映像表示装置１と３Ｄ映像対応の映像再生装置２との接続に対応して、映像再生装置２の制御により、３Ｄ映像非対応の映像表示装置１の液晶パネル１９には、例えば図６に示すように、「本製品は３Ｄ表示に対応しておりません」のようなアラートメッセージが表示される。これにより、ユーザは、「映像表示装置１（テレビ）が３Ｄ映像非対応であること」、「３Ｄ映像対応の映像再生装置２（プレーヤ）を接続しても３Ｄ映像を表示できないこと」などを簡単且つ確実に認識することができる。
【００６０】
さらに、上記したように、コントローラ２１が、映像表示装置１の能力（３Ｄ映像非対応能力）を検出した場合（ＳＴ１１１、ＹＥＳ）、例えば３Ｄ変換キー２４１等により３Ｄ変換が指示されても、コントローラ２１は、この３Ｄ変換の指示を無効と判定する（ＳＴ１１４）。よって、コントローラ２１が、映像表示装置１の能力（３Ｄ映像非対応能力）を検出した場合、映像処理モジュール２３は、インターフェース２２を介して、映像表示装置１に対して２Ｄ映像（オリジナル２Ｄ映像）を出力する（ＳＴ１１５）。
【００６１】
映像表示装置１は、インターフェース１２を介して、２Ｄ映像を受信し、液晶パネル１９は、２Ｄ映像を表示する（ＳＴ１１６）。
【００６２】
（２）図２に示す接続例のケース（映像表示装置１’（テレビ）側が３Ｄ映像対応で且つ３Ｄ変換機能を備えていないケース）
映像表示装置１’と映像再生装置２とが接続された際（映像再生装置２が映像表示装置１’を認識した際）、又は映像再生装置２による映像再生処理の際に、映像再生装置２のコントローラ２１は、インターフェース２２を介して接続された映像表示装置１’の能力（３Ｄ映像対応且つ３Ｄ変換不能）を検出（受信）する（ＳＴ１０１）。
【００６３】
映像再生装置２のコントローラ２１は、検出された能力（３Ｄ映像対応且つ３Ｄ変換不能）に基づき（ＳＴ１２１、ＹＥＳ）、映像表示装置１’に対して、上記したようなアラートメッセージを出力するように制御しない。つまり、映像表示装置１’の液晶パネル１９には、上記したようなアラートメッセージは表示されない。
【００６４】
さらに、上記したように、コントローラ２１が、映像表示装置１’の能力（３Ｄ映像対応且つ３Ｄ変換不能）を検出した場合（ＳＴ１２１、ＹＥＳ）、例えば３Ｄ変換キー２４１等により３Ｄ変換が指示されると（或いは３Ｄ変換が既に指示されていると）、コントローラ２１は、この３Ｄ変換の指示を有効と判定する（ＳＴ１２４）。或いは、コントローラ２１は、３Ｄ変換の指示がなくても３Ｄ変換を有効と判定する（ＳＴ１２４）。よって、コントローラ２１が、映像表示装置１’の能力（３Ｄ映像対応且つ３Ｄ変換不能）を検出し、映像処理モジュール２３に入力される映像信号が２Ｄ映像であることを検出すると、３Ｄ変換処理モジュール２３１は、インターフェース２６を介して入力される２Ｄ映像を３Ｄ映像へ変換し、映像処理モジュール２３は、インターフェース２２を介して、映像表示装置１’に対して３Ｄ映像を出力する（ＳＴ１２５）。
【００６５】
また、コントローラ２１が、映像表示装置１’の能力（３Ｄ映像対応且つ３Ｄ変換不能）を検出し、映像処理モジュール２３に対する３Ｄ映像の入力を検出した場合、例えば３Ｄ変換キー２４１等により３Ｄ変換が指示されると、コントローラ２１は、この３Ｄ変換の指示を無効と判定する。その結果、３Ｄ変換処理は実行されないが、映像処理モジュール２３は、インターフェース２２を介して、映像表示装置１’に対してオリジナルの３Ｄ映像を出力する（ＳＴ１２５）。
【００６６】
映像表示装置１は、インターフェース１２を介して、３Ｄ映像を受信し、液晶パネル１９は、３Ｄ映像を表示する（ＳＴ１２６）。
【００６７】
（３）図３に示す接続例のケース（映像表示装置１’’（テレビ）側が３Ｄ映像対応で且つ３Ｄ変換機能を備えるケース）
映像表示装置１’’と映像再生装置２とが接続された際（映像再生装置２が映像表示装置１’’を認識した際）、又は映像再生装置２による映像再生処理の際に、映像再生装置２のコントローラ２１は、インターフェース２２を介して接続された映像表示装置１’’の能力（３Ｄ映像対応且つ３Ｄ変換可能）を検出（受信）する（ＳＴ１０１）。
【００６８】
映像再生装置２のコントローラ２１は、検出された能力（３Ｄ映像対応且つ３Ｄ変換可能）に基づき（ＳＴ１３１、ＹＥＳ）、映像表示装置１’’に対して、上記したようなアラートメッセージを出力するように制御しない。つまり、映像表示装置１’’の液晶パネル１９には、上記したようなアラートメッセージは表示されない。
【００６９】
さらに、上記したように、コントローラ２１が、映像表示装置１’’の能力（３Ｄ映像対応且つ３Ｄ変換可能）を検出した場合、例えば、映像再生装置２の３Ｄ変換機能を優先する第１の優先モードを選択する。
【００７０】
これにより、３Ｄ変換キー２４１等により３Ｄ変換が指示されると（或いは３Ｄ変換が既に指示されていると）、コントローラ２１は、この３Ｄ変換の指示を有効と判定する。或いは、コントローラ２１は、３Ｄ変換の指示がなくても３Ｄ変換を有効と判定する。よって、コントローラ２１が、映像表示装置１’’の能力（３Ｄ映像対応且つ３Ｄ変換可能）を検出し、映像処理モジュール２３に入力される映像信号が２Ｄ映像であることを検出すると、３Ｄ変換処理モジュール２３１は、インターフェース２６を介して入力される２Ｄ映像を３Ｄ映像へ変換し、映像処理モジュール２３は、インターフェース２２を介して、映像表示装置１’’に対して３Ｄ映像を出力する。
【００７１】
なお、このケースでは、コントローラ２１が、インターフェース２２を介して、映像表示装置１’’に対して、３Ｄ変換停止、３Ｄ変換禁止、又は３Ｄ変換解除を指示してもよい（３Ｄ変換停止コマンド、３Ｄ変換禁止コマンド、又は３Ｄ変換解除を送信してもよい）。
【００７２】
或いは、上記したように、コントローラ２１が、映像表示装置１’’の能力（３Ｄ映像対応且つ３Ｄ変換可能）を検出した場合、例えば、映像表示装置１’’の３Ｄ変換機能を優先する第２の優先モードを選択する。
【００７３】
これにより、３Ｄ変換キー２４１等により３Ｄ変換が指示されても（或いは３Ｄ変換が既に指示されていても）、コントローラ２１は、この３Ｄ変換の指示を無効と判定する。よって、コントローラ２１が、映像表示装置１’’の能力（３Ｄ映像対応且つ３Ｄ変換可能）を検出し、映像処理モジュール２３に入力される映像信号が２Ｄ映像であることを検出すると、インターフェース２２を介して、映像表示装置１’’に対して、３Ｄ変換を指示し（３Ｄ変換コマンドを送信し）、映像処理モジュール２３は、インターフェース２２を介して、映像表示装置１’’に対して２Ｄ映像を出力する。
【００７４】
これにより、映像表示装置１’’は、３Ｄ変換の指示及び２Ｄ映像を受信し、３Ｄ変換処理モジュール１３１は、３Ｄ変換の指示に基づき、２Ｄ映像を３Ｄ映像へ変換し、液晶パネル１９は、変換された３Ｄ映像を表示する。
【００７５】
或いは、上記したように、コントローラ２１が、映像表示装置１’’の能力（３Ｄ映像対応且つ３Ｄ変換可能）を検出した場合、映像表示装置１’’の３Ｄ変換能力（ａ）と映像再生装置２の３Ｄ変換能力（ｂ）とを比較し、比較結果に基づき３Ｄ変換能力（ａ）又は（ｂ）の一方を優先的に選択する第３の優先モードを選択する。
【００７６】
これにより、コントローラ２１が、映像表示装置１’’の３Ｄ変換能力（ａ）が映像再生装置２の３Ｄ変換能力（ｂ）より高いと判定し（ＳＴ１３２、ＹＥＳ）、映像処理モジュール２３に入力される映像信号が２Ｄ映像であることを検出すると（ＳＴ１３３、ＹＥＳ）、映像表示装置１’’の３Ｄ変換能力（ａ）を優先し、例えば３Ｄ変換キー２４１等により３Ｄ変換が指示されても（或いは３Ｄ変換が既に指示されていても）、コントローラ２１は、この３Ｄ変換の指示を無効と判定する。よって、コントローラ２１は、インターフェース２２を介して、映像表示装置１’’に対して、３Ｄ変換を指示し（３Ｄ変換コマンドを送信し）、映像処理モジュール２３は、インターフェース２２を介して、映像表示装置１’’に対して２Ｄ映像を出力する（ＳＴ１３５）。
【００７７】
これにより、映像表示装置１’’は、３Ｄ変換の指示及び２Ｄ映像を受信し、３Ｄ変換処理モジュール１３１は、３Ｄ変換の指示に基づき、２Ｄ映像を３Ｄ映像へ変換し、液晶パネル１９は、変換された３Ｄ映像を表示する（ＳＴ１３６）。
【００７８】
なお、コントローラ２１が、映像表示装置１’’の３Ｄ変換能力（ａ）が映像再生装置２の３Ｄ変換能力（ｂ）より高いと判定しても（ＳＴ１３２、ＹＥＳ）、映像処理モジュール２３に入力される映像信号が３Ｄ映像であることを検出すると（ＳＴ１３３、ＮＯ）、映像処理モジュール２３は３Ｄ映像を出力する（ＳＴ１４５）。さらに、コントローラ２１が、インターフェース２２を介して、映像表示装置１’’に対して、３Ｄ変換停止等を指示してもよい（３Ｄ変換停止コマンド等を送信してもよい）。
【００７９】
これにより、映像表示装置１’’は、３Ｄ映像を受信し、液晶パネル１９は、３Ｄ映像を表示する（ＳＴ１４６）。さらに、映像表示装置１’’が、３Ｄ変換停止等の指示を受信し、３Ｄ変換処理モジュール１３１の３Ｄ変換処理が実行されている場合又は変換処理が設定されている場合には、コントローラ１１は、３Ｄ変換処理を停止又は解除する。
【００８０】
また、コントローラ２１が、映像表示装置１’’の３Ｄ変換能力（ａ）が映像再生装置２の３Ｄ変換能力（ｂ）より低いと判定した場合し（ＳＴ１３２、ＮＯ）、映像処理モジュール２３に入力される映像信号が２Ｄ映像であることを検出すると、例えば３Ｄ変換キー２４１等により３Ｄ変換が指示されると（或いは３Ｄ変換が既に指示されていると）、コントローラ２１は、この３Ｄ変換の指示を有効と判定する（ＳＴ１５４）。或いは、コントローラ２１は、３Ｄ変換の指示がなくても３Ｄ変換を有効と判定する（ＳＴ１５４）。よって、３Ｄ変換処理モジュール２３１は、インターフェース２６を介して入力される２Ｄ映像を３Ｄ映像へ変換し、映像処理モジュール２３は、インターフェース２２を介して、映像表示装置１’’に対して３Ｄ映像を出力する（ＳＴ１５５）。なお、このケースでは、コントローラ２１が、インターフェース２２を介して、映像表示装置１’’に対して、３Ｄ変換停止等を指示してもよい（３Ｄ変換停止コマンド等を送信してもよい）（ＳＴ１５５）。
【００８１】
これにより、映像表示装置１’’は、３Ｄ映像を受信し、液晶パネル１９は、３Ｄ映像を表示する（ＳＴ１５６）。さらに、映像表示装置１’’が、３Ｄ変換停止等の指示を受信し、３Ｄ変換処理モジュール１３１の３Ｄ変換処理が実行されている場合又は変換処理が設定されている場合には、コントローラ１１は、３Ｄ変換処理を停止又は解除する。
【００８２】
なお、コントローラ２１には、第１、第２、又は第３の優先モードのうちの何れか一つのモードが初期値として設定されており、ユーザは、入力部２４、リモートコントローラ２５０等を介して、優先モードを変更することもできる。
【００８３】
以上により、映像再生装置２から出力された３Ｄ映像が、映像表示装置１’’でさらに３Ｄ変換されてしまうような事態（映像破綻）を自動的に防止することができる。ユーザは、このような映像破綻を防止するために、映像表示装置１’’及び映像再生装置２のいずれの３Ｄ変換の設定も変更しなくてよい。
【００８４】
（第２の実施形態）
第２の実施形態では、映像再生装置２による映像変換制御及びアラート等の情報出力制御について説明する。上記説明したように、映像再生装置２（映像処理モジュール２３）は、３Ｄ映像対応であり、２Ｄ映像及び３Ｄ映像を出力可能に構成されている。第２の実施形態では、映像再生装置２は、３Ｄ変換処理モジュール２３１、２Ｄ変換処理モジュール２３２を必須構成として備える。
【００８５】
図１に示すように、映像表示装置１と映像再生装置２とが接続された際（映像再生装置２が映像表示装置１を認識した際）、又は映像再生装置２による映像再生処理の際に、映像再生装置２のコントローラ２１は、インターフェース２２を介して接続された映像表示装置１の能力（３Ｄ映像非対応能力）を検出（受信）する。
【００８６】
映像再生装置２のコントローラ２１は、検出された能力（３Ｄ映像非対応能力）に基づき、映像表示装置１に対して、２Ｄ映像及び好適な情報（３Ｄ映像非対応であることを示す情報、及び２Ｄ映像を表示する旨のアラートメッセージ）を生成（又は選択）し出力するように制御する。これに対応して、映像再生装置２の案内情報出力モジュール２３３は、インターフェース２２を介して、映像表示装置１に対して、アラートメッセージを生成（又は選択）し出力し、映像処理モジュール２３は、２Ｄ映像を出力する。
【００８７】
例えば、コントローラ２１が、映像処理モジュール２３に入力される映像信号が２Ｄ映像であることを検出した場合には、案内情報出力モジュール２３３は、インターフェース２２を介して、映像表示装置１に対して、第１のアラートメッセージ（３Ｄ映像非対応であることを示す情報、及びオリジナルの２Ｄ映像をそのまま表示する旨のアラートメッセージ）を生成（又は選択）し出力する。さらに、映像処理モジュール２３は、コントローラ２１の制御に基づき、インターフェース２２を介して、そのまま２Ｄ映像を出力する。
【００８８】
これに対応して、映像表示装置１は、インターフェース１２を介して、第１のアラートメッセージを受信し、２Ｄ映像を受信し、映像処理モジュール１３は、第１のアラートメッセージを出力してから、２Ｄ映像を出力する。或いは、映像処理モジュール１３は、２Ｄ映像上に第１のアラートメッセージを合成し、合成映像信号を所定期間出力してから、第１のアラートメッセージを除外した２Ｄ映像を出力する。これにより、液晶パネル１９は、第１のアラートメッセージを表示してから、２Ｄ映像を表示する。或いは、液晶パネル１９は、２Ｄ映像とともに第１のアラートメッセージを所定期間表示してから、２Ｄ映像を単独で表示する。
【００８９】
また、コントローラ２１が、映像処理モジュール２３に入力される映像信号が３Ｄ映像であることを検出した場合には、案内情報出力モジュール２３３は、インターフェース２２を介して、映像表示装置１に対して、第２のアラートメッセージ（３Ｄ映像非対応であることを示す情報、及び３Ｄ映像から変換された２Ｄ映像を表示する旨のアラートメッセージ）を生成（又は選択）し出力する。さらに、２Ｄ変換処理モジュール２３２は、コントローラ２１の制御に基づき、３Ｄ映像を２Ｄ映像へ変換し、インターフェース２２を介して、変換された２Ｄ映像を出力する。
【００９０】
これに対応して、映像表示装置１は、インターフェース１２を介して、第２のアラートメッセージを受信し、変換された２Ｄ映像を受信し、映像処理モジュール１３は、第２のアラートメッセージを出力してから、変換された２Ｄ映像を出力する。或いは、映像処理モジュール１３は、変換された２Ｄ映像上に第２のアラートメッセージを合成し、合成映像信号を所定期間出力してから、第２のアラートメッセージを除外した変換された２Ｄ映像を出力する。これにより、液晶パネル１９は、第２のアラートメッセージを表示してから、変換された２Ｄ映像を表示する。或いは、液晶パネル１９は、変換された２Ｄ映像とともに第２のアラートメッセージを所定期間表示してから、変換された２Ｄ映像を単独で表示する。図７は、第２のアラートメッセージの一例を示す図である。図７に示すように、「本製品は３Ｄ表示に対応しておりません。２Ｄ変換してコンテンツが表示されます。」のような第２のアラートメッセージが表示される。
【００９１】
つまり、３Ｄ映像非対応の映像表示装置１と３Ｄ映像対応の映像再生装置２との接続に対応して、映像再生装置２の制御により、３Ｄ映像非対応の映像表示装置１の液晶パネル１９には、例えば、「本製品は３Ｄ表示に対応しておりません。２Ｄ映像をそのまま表示します。」、又は「本製品は３Ｄ表示に対応しておりません。変換した２Ｄ映像を表示します。」のようなアラートメッセージが表示される。これにより、ユーザは、「映像表示装置１（テレビ）が３Ｄ映像非対応であること」、「３Ｄ映像対応の映像再生装置２（プレーヤ）を接続しても３Ｄ映像を表示できないこと」、及び「３Ｄ映像が２Ｄ映像へ変換されていること」などを簡単且つ確実に認識することができる。即ち、ユーザは、オリジナルの映像コンテンツが３Ｄ映像なのか２Ｄ映像なのかを意識すること無く、２Ｄ映像コンテンツ又は３Ｄ映像コンテンツを映像表示装置１で２Ｄ映像として視聴することが出来る。しかも、ユーザは、映像再生装置２に対して２Ｄ変換指示又は３Ｄ変換指示の取消等を入力する必要もない。
【００９２】
（第３の実施形態）
第３の実施形態では、映像表示装置１によるアラート等の情報出力制御について説明する。上記説明したように、映像表示装置１（映像処理モジュール１３）は、３Ｄ映像非対応であり、３Ｄ映像を出力することはできない。
【００９３】
映像表示装置１と映像再生装置２とが接続された際（映像再生装置２が映像表示装置１を認識した際）、又は映像再生装置２による映像再生処理の際に、映像表示装置１のコントローラ１１は、インターフェース１２を介して接続された映像再生装置２の能力（３Ｄ映像対応能力）を検出（受信）する。
【００９４】
映像表示装置１のコントローラ１１は、検出された能力（３Ｄ映像対応能力）に基づき、案内情報出力モジュール１３３に対して、好適な情報（３Ｄ映像非対応であることを示すアラートメッセージ）を生成（又は選択）し出力するように制御する。これに対応して、案内情報出力モジュール１３３は、液晶パネル１９に対して、アラートメッセージを生成（又は選択）し出力し、液晶パネル１９は、アラートメッセージを表示する。
【００９５】
つまり、３Ｄ映像非対応の映像表示装置１と３Ｄ映像対応の映像再生装置２との接続に対応して、映像表示装置１の制御により、液晶パネル１９には、例えば図６に示すように、「本製品は３Ｄ表示に対応しておりません」のようなアラートメッセージが表示される。これにより、ユーザは、「映像表示装置１（テレビ）が３Ｄ映像非対応であること」、「３Ｄ映像対応の映像再生装置２（プレーヤ）を接続しても３Ｄ映像を表示できないこと」などを簡単且つ確実に認識することができる。
【００９６】
以上説明した、第１又は第２の実施形態によれば、３Ｄ映像非対応の映像表示装置１と３Ｄ映像対応の映像再生装置２との接続に対応して、映像再生装置２が、３Ｄ映像非対応の映像表示装置１（テレビ）であることを示すアラートメッセージを生成（選択）し出力する。これにより、映像表示装置１が、上記したようなアラートメッセージを生成（選択）し出力する構成を備えていなくても、映像表示装置１が、上記したようなアラートメッセージを表示することができる。
【００９７】
また、第３の実施形態によれば、３Ｄ映像非対応の映像表示装置１と３Ｄ映像対応の映像再生装置２との接続に対応して、映像表示装置１が、３Ｄ映像非対応であることを示すアラートメッセージを生成（選択）し出力する。これにより、映像再生装置２が、上記したようなアラートメッセージを生成（選択）し出力する構成を備えていなくても、映像表示装置１は、３Ｄ映像対応の映像再生装置２との接続に対応して、上記したようなアラートメッセージを表示することができる。
【００９８】
これにより、ユーザは、「映像表示装置１（テレビ）が３Ｄ映像非対応であること」、「３Ｄ映像対応の映像再生装置２（プレーヤ）を接続しても３Ｄ映像を表示できないこと」などを簡単且つ確実に認識することができる。
【００９９】
次に、図１〜図３に示す接続例を参照し、第４及び第５の実施形態に示す映像変換制御について説明する。
【０１００】
（第４の実施形態）
第４の実施形態では、映像再生装置２による映像変換制御について説明する。上記説明したように、映像再生装置２（映像処理モジュール２３）は、３Ｄ映像対応であり、２Ｄ映像及び３Ｄ映像を出力可能に構成されている。第４の実施形態では、映像再生装置２は、３Ｄ変換処理モジュール２３１を必須構成として備え、２Ｄ変換処理モジュール２３２をオプション構成として備える。
【０１０１】
（１）図１に示す接続例のケース（映像表示装置１（テレビ）側が３Ｄ映像非対応のケース）
基本的には、第１の実施形態の（１）で説明したように、映像再生装置２のコントローラ２１が、映像表示装置１の能力（３Ｄ映像非対応能力）を検出した場合、例えば３Ｄ変換キー２４１等により３Ｄ変換が指示されても、コントローラ２１は、この３Ｄ変換の指示を無効と判定する。よって、コントローラ２１が、映像表示装置１の能力（３Ｄ映像非対応能力）を検出した場合、映像処理モジュール２３は、インターフェース２２を介して、映像表示装置１に対して２Ｄ映像を出力する。
【０１０２】
（２）図２に示す接続例のケース（映像表示装置１’（テレビ）側が３Ｄ映像対応で且つ３Ｄ変換機能を備えていないケース）
基本的には、第１の実施形態の（２）で説明したように、映像再生装置２のコントローラ２１が、映像表示装置１’の能力（３Ｄ映像対応且つ３Ｄ変換不能）を検出し、映像処理モジュール２３に対する２Ｄ映像の入力を検出した場合、例えば３Ｄ変換キー２４１等により３Ｄ変換が指示されると、コントローラ２１は、この３Ｄ変換の指示を有効と判定する。或いは、コントローラ２１は、３Ｄ変換の指示がなくても３Ｄ変換を有効と判定する。よって、コントローラ２１が、映像表示装置１’の能力（３Ｄ映像対応且つ３Ｄ変換不能）を検出し、映像処理モジュール２３に入力される映像信号が２Ｄ映像であることを検出すると、３Ｄ変換処理モジュール２３１は、インターフェース２６を介して入力される２Ｄ映像を３Ｄ映像へ変換し、映像処理モジュール２３は、インターフェース２２を介して、映像表示装置１’に対して３Ｄ映像を出力する。
【０１０３】
また、コントローラ２１が、映像表示装置１’の能力（３Ｄ映像対応且つ３Ｄ変換不能）を検出し、映像処理モジュール２３に対する３Ｄ映像の入力を検出した場合、例えば３Ｄ変換キー２４１等により３Ｄ変換が指示されると、コントローラ２１は、この３Ｄ変換の指示を無効と判定する。その結果、３Ｄ変換処理は実行されないが、映像処理モジュール２３は、インターフェース２２を介して、映像表示装置１’に対してオリジナルの３Ｄ映像を出力する。
【０１０４】
（３）図３に示す接続例のケース（映像表示装置１’’（テレビ）側が３Ｄ映像対応で且つ３Ｄ変換機能を備えるケース）
基本的には、第１の実施形態の（３）で説明したように、映像再生装置２のコントローラ２１が、映像表示装置１’’の能力（３Ｄ映像対応且つ３Ｄ変換可能）を検出した場合、例えば、映像再生装置２の３Ｄ変換機能を優先する第１の優先モードを選択する。これにより、３Ｄ変換キー２４１等により３Ｄ変換が指示されると（或いは３Ｄ変換が既に指示されていると）、コントローラ２１は、この３Ｄ変換の指示を有効と判定する。或いは、コントローラ２１は、３Ｄ変換の指示がなくても３Ｄ変換を有効と判定する。よって、コントローラ２１が、映像表示装置１’’の能力（３Ｄ映像対応且つ３Ｄ変換可能）を検出し、映像処理モジュール２３に入力される映像信号が２Ｄ映像であることを検出すると、３Ｄ変換処理モジュール２３１は、インターフェース２６を介して入力される２Ｄ映像を３Ｄ映像へ変換し、映像処理モジュール２３は、インターフェース２２を介して、映像表示装置１’’に対して３Ｄ映像を出力する。
【０１０５】
或いは、第１の実施形態の（３）で説明したように、映像再生装置２のコントローラ２１が、映像表示装置１’’の能力（３Ｄ映像対応且つ３Ｄ変換可能）を検出した場合、例えば、映像表示装置１’’の３Ｄ変換機能を優先する第２の優先モードを選択する。これにより、３Ｄ変換キー２４１等により３Ｄ変換が指示されても（或いは３Ｄ変換が既に指示されていても）、コントローラ２１は、この３Ｄ変換の指示を無効と判定する。よって、コントローラ２１が、映像表示装置１’’の能力（３Ｄ映像対応且つ３Ｄ変換可能）を検出し、映像処理モジュール２３に入力される映像信号が２Ｄ映像であることを検出すると、インターフェース２２を介して、映像表示装置１’’に対して、３Ｄ変換を指示し（３Ｄ変換コマンドを送信し）、映像処理モジュール２３は、インターフェース２２を介して、映像表示装置１’’に対して２Ｄ映像を出力する。
【０１０６】
或いは、第１の実施形態の（３）で説明したように、映像再生装置２のコントローラ２１が、映像表示装置１’’の能力（３Ｄ映像対応且つ３Ｄ変換可能）を検出した場合、映像表示装置１’’の３Ｄ変換能力（ａ）と映像再生装置２の３Ｄ変換能力（ｂ）とを比較し、比較結果に基づき３Ｄ変換能力（ａ）又は（ｂ）の一方を優先的に選択する第３の優先モードを選択する。
【０１０７】
これにより、コントローラ２１が、映像表示装置１’’の３Ｄ変換能力（ａ）が映像再生装置２の３Ｄ変換能力（ｂ）より高いと判定し、映像処理モジュール２３に入力される映像信号が２Ｄ映像であることを検出すると、映像表示装置１’’の３Ｄ変換能力（ａ）を優先し、例えば３Ｄ変換キー２４１等により３Ｄ変換が指示されても（或いは３Ｄ変換が既に指示されていても）、コントローラ２１は、この３Ｄ変換の指示を無効と判定する。よって、コントローラ２１は、インターフェース２２を介して、映像表示装置１’’に対して、３Ｄ変換を指示し（３Ｄ変換コマンドを送信し）、映像処理モジュール２３は、インターフェース２２を介して、映像表示装置１’’に対して２Ｄ映像を出力する。
【０１０８】
また、コントローラ２１が、映像表示装置１’’の３Ｄ変換能力（ａ）が映像再生装置２の３Ｄ変換能力（ｂ）より低いと判定し、映像処理モジュール２３に入力される映像信号が２Ｄ映像であることを検出すると、例えば３Ｄ変換キー２４１等により３Ｄ変換が指示されると（或いは３Ｄ変換が既に指示されていると）、コントローラ２１は、この３Ｄ変換の指示を有効と判定する。或いは、コントローラ２１は、３Ｄ変換の指示がなくても３Ｄ変換を有効と判定する。よって、３Ｄ変換処理モジュール２３１は、インターフェース２６を介して入力される２Ｄ映像を３Ｄ映像へ変換し、映像処理モジュール２３は、インターフェース２２を介して、映像表示装置１’’に対して３Ｄ映像を出力する。
【０１０９】
なお、コントローラ２１には、第１、第２、又は第３の優先モードのうちの何れか一つのモードが初期値として設定されており、ユーザは、入力部２４、リモートコントローラ２５０等を介して、優先モードを変更することもできる。
【０１１０】
以上により、映像再生装置２から出力された３Ｄ映像が、映像表示装置１’’でさらに３Ｄ変換されてしまうような事態（映像破綻）を自動的に防止することができる。ユーザは、このような映像破綻を防止するために、映像表示装置１’’及び映像再生装置２のいずれの３Ｄ変換の設定も変更しなくてよい。
【０１１１】
（第５の実施形態）
第５の実施形態では、映像再生装置２による映像変換制御ついて説明する。上記説明したように、映像再生装置２（映像処理モジュール２３）は、３Ｄ映像対応であり、２Ｄ映像及び３Ｄ映像を出力可能に構成されている。第５の実施形態では、映像再生装置２は、３Ｄ変換処理モジュール２３１、２Ｄ変換処理モジュール２３２を必須構成として備える。
【０１１２】
基本的には、第２の実施形態で説明したように、映像再生装置２のコントローラ２１は、映像表示装置１の能力（３Ｄ映像非対応能力）を検出し、さらに、映像処理モジュール２３に入力される映像信号が３Ｄ映像であることを検出した場合には、コントローラ２１は、２Ｄ変換を指示する。これにより、２Ｄ変換処理モジュール２３２は、３Ｄ映像を２Ｄ映像へ変換し、インターフェース２２を介して、変換された２Ｄ映像を出力する。映像表示装置１は、インターフェース２１を介して、変換された２Ｄ映像を受信し、液晶パネル１９は、変換された２Ｄ映像を表示する。
【０１１３】
つまり、３Ｄ映像非対応の映像表示装置１と３Ｄ映像対応の映像再生装置２との接続に対応して、映像再生装置２は、自動的に３Ｄ映像を２Ｄ映像へ変換し、映像表示装置１に対して、変換した２Ｄ映像を出力する。よって、ユーザは、再生対象コンテンツが３Ｄ映像コンテンツであるか否かを意識することなく、また映像再生装置２に対して２Ｄ変換指示又は３Ｄ変換指示の取消等を入力する必要もなく、簡単に最適な映像を視聴することができる。
【０１１４】
以上により、第１〜第５の実施形態によれば、ユーザにとって好適な３Ｄ映像対応機器及び３Ｄ映像非対応機器の連携機能を提供することができる。
【０１１５】
なお、上記説明した第１〜第５の実施形態に記載の３Ｄ映像は、例えば、時分割方式により表示される。時分割方式とは、アクティブ方式の液晶シャッターメガネと高速駆動ディスプレイとを組み合わせて、３Ｄ映像を表示又は見せる方式である。
【０１１６】
つまり、映像表示装置１’、１’’は、時分割方式に対応した３Ｄ映像を表示することができる。即ち、映像処理モジュール１３’、１３’’は、右目用、左目用の映像を１フレームごとに切り換えて出力し、これに対応し、液晶パネル１９（高速駆動ディスプレイ）は、右目用、左目用の映像を１フレームごとに切り換えて表示する。
【０１１７】
ユーザは、アクティブ方式の液晶シャッターメガネをかけて、３Ｄ映像を視ることができる。つまり、液晶シャッターメガネは、１フレームごとの右目用、左目用の映像切り換えに対応して、右目用のシャッターと左目用のシャッターとを交互に閉ざして、右目には右目用の映像、左目には左目の映像を見せる。
【０１１８】
上記では、時分割方式による３Ｄ映像表示の一例について説明したが、その他の３Ｄ表示方式を適用することも可能であり、例えば、裸眼で見ることができる３Ｄ映像の表示方式を適用することも可能である。
【０１１９】
なお、上記したモジュールとは、ハードウェアで実現するものであっても良いし、ＣＰＵ等を使ってソフトウェアで実現するものであってもよい。
【０１２０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決できる場合には、この構成要件が削除された構成が発明として抽出され得る。
【符号の説明】
【０１２１】
１…映像表示装置（第１の映像表示装置）、１’…映像表示装置（第２の映像表示装置）、１’’…映像表示装置（第３の映像表示装置）、１１…コントローラ、１２…インターフェース、１３…映像処理モジュール、１４…入力部、１５…信号受信部、１６…インターフェース、１７…蓄積デバイス、１８…チューナー、１９…液晶パネル、２…映像再生装置、２１…コントローラ、２２…インターフェース、２３…映像処理モジュール、２４…入力部、２５…信号受信部、２６…インターフェース、２７…蓄積デバイス、２８…チューナー
【図１】
2011254164.tif 000003
【図２】
2011254164.tif 000004
【図３】
2011254164.tif 000005
【図４】
2011254164.tif 000006
【図５】
2011254164.tif 000007
【図６】
2011254164.tif 000008
【図７】
2011254164.tif 000009
【図８】
2011254164.tif 000010
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
映像表示装置の能力を検出する検出手段と、
前記検出手段により検出された前記能力に基づき、前記映像表示装置に対して２Ｄ映像又は３Ｄ映像を出力するように制御する制御手段と、
を備え、
前記制御手段は、前記映像表示装置が前記２Ｄ映像を前記３Ｄ映像へ変換する３Ｄ変換機能を有している場合に、３Ｄ変換を無効に設定する映像出力制御装置。
【請求項２】
前記検出手段は、前記２Ｄ映像を前記３Ｄ映像へ変換可能に構成された第１の映像表示装置の接続を検出し、
前記制御手段は、前記第１の映像表示装置の接続検出に対応して、前記３Ｄ変換を無効に設定する請求項１に記載の映像出力制御装置。
【請求項３】
前記制御手段は、前記映像表示装置に対して３Ｄ変換の指示を出力するように制御する請求項１に記載の映像出力制御装置。
【請求項４】
前記制御手段は、前記検出手段により検出された前記能力に基づき、前記２Ｄ映像を前記３Ｄ映像へ変換する３Ｄ変換の有効又は無効を設定する請求項１に記載の映像出力制御装置。
【請求項５】
前記制御手段による前記３Ｄ変換の有効設定に対応して、前記２Ｄ映像を前記３Ｄ映像へ変換する変換手段と、
前記制御手段による前記３Ｄ変換の有効設定に対応して、前記映像表示装置に対して前記３Ｄ映像を出力する出力手段と、
を備えた請求項４に記載の映像出力制御装置。
【請求項６】
前記出力手段は、前記制御手段による前記３Ｄ変換の無効設定に対応して、前記映像表示装置に対して前記２Ｄ映像を出力する請求項４に記載の映像出力制御装置。
【請求項７】
前記検出手段は、３Ｄ映像非対応の第１の映像表示装置の接続を検出し、
前記制御手段は、前記第１の映像表示装置の接続検出に対応して、前記第１の映像表示装置に対して前記２Ｄ映像を出力するように制御する請求項１に記載の映像出力制御装置。
【請求項８】
前記検出手段は、３Ｄ映像対応の第２の映像表示装置の接続を検出し、
前記制御手段は、前記第２の映像表示装置の接続検出に対応して、前記第２の映像表示装置に対して前記３Ｄ映像を出力するように制御する請求項１に記載の映像出力制御装置。
【請求項９】
前記検出手段は、前記２Ｄ映像を前記３Ｄ映像へ変換不能に構成され且つ前記３Ｄ映像を出力可能に構成された第２の映像表示装置の接続を検出し、
前記制御手段は、前記第２の映像表示装置の接続検出に対応して、前記第２の映像表示装置に対して前記３Ｄ映像を出力するように制御する請求項１に記載の映像出力制御装置。
【請求項１０】
前記検出手段は、前記２Ｄ映像を前記３Ｄ映像へ変換可能に構成され且つ前記３Ｄ映像を出力可能に構成された第３の映像表示装置の接続を検出し、
前記制御手段は、前記第３の映像表示装置の接続検出に対応して、前記第３の映像表示装置に対して前記２Ｄ映像を出力するように制御する請求項１に記載の映像出力制御装置。
【請求項１１】
前記検出手段は、前記２Ｄ映像を前記３Ｄ映像へ変換可能に構成され且つ前記３Ｄ映像を出力可能に構成された第３の映像表示装置の接続を検出し、さらに、前記第３の映像表示装置の３Ｄ変換能力を検出し、
前記制御手段は、前記第３の映像表示装置の３Ｄ変換能力が前記変換手段の３Ｄ変換能力より高い場合に、前記第３の映像表示装置の接続検出に対応して、前記第３の映像表示装置に対して前記２Ｄ映像を出力するように制御する請求項１に記載の映像出力制御装置。
【請求項１２】
前記変換手段は、前記第１の映像表示装置の接続検出に対応して、前記３Ｄ映像を前記２Ｄ映像へ変換し、
前記制御手段は、前記第１の映像表示装置の接続検出に対応して、前記第１の映像表示装置に対して前記２Ｄ映像を出力するように制御する請求項７に記載の映像出力制御装置。
【請求項１３】
映像表示装置の能力を検出し、
前記能力に基づき、前記映像表示装置に対して２Ｄ映像又は３Ｄ映像を出力するように制御し、前記映像表示装置が前記２Ｄ映像を前記３Ｄ映像へ変換する３Ｄ変換機能を有している場合に、３Ｄ変換を無効に設定する映像出力制御方法。
【手続補正２】
【補正対象書類名】明細書
【補正対象項目名】０１２０
【補正方法】変更
【補正の内容】
【０１２０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決できる場合には、この構成要件が削除された構成が発明として抽出され得る。
以下に、出願当初の特許請求の範囲に記載された発明を付記する。
［１］
映像表示装置の能力を検出する検出手段と、
前記検出手段により検出された前記能力に基づき、前記映像表示装置に対して２Ｄ映像又は３Ｄ映像を出力するように制御する制御手段と、
を備えた映像出力制御装置。
［２］
前記検出手段により検出された前記能力に基づき、前記２Ｄ映像を前記３Ｄ映像へ変換する３Ｄ変換の有効又は無効を判定する判定手段を備えた［１］に記載の映像出力制御装置。
［３］
前記判定手段による前記３Ｄ変換の有効判定に対応して、前記２Ｄ映像を前記３Ｄ映像へ変換する変換手段と、
前記判定手段による前記３Ｄ変換の有効判定に対応して、前記映像表示装置に対して前記３Ｄ映像を出力する出力手段と、
を備えた［２］に記載の映像出力制御装置。
［４］
前記出力手段は、前記判定手段による前記３Ｄ変換の無効判定に対応して、前記映像表示装置に対して前記２Ｄ映像を出力する［２］に記載の映像出力制御装置。
［５］
前記検出手段は、３Ｄ映像非対応の第１の映像表示装置の接続を検出し、
前記制御手段は、前記第１の映像表示装置の接続検出に対応して、前記第１の映像表示装置に対して前記２Ｄ映像を出力するように制御する［１］に記載の映像出力制御装置。
［６］
前記検出手段は、３Ｄ映像対応の第２の映像表示装置の接続を検出し、
前記制御手段は、前記第２の映像表示装置の接続検出に対応して、前記第２の映像表示装置に対して前記３Ｄ映像を出力するように制御する［１］に記載の映像出力制御装置。
［７］
前記検出手段は、前記２Ｄ映像を前記３Ｄ映像へ変換不能に構成され且つ前記３Ｄ映像を出力可能に構成された第２の映像表示装置の接続を検出し、
前記制御手段は、前記第２の映像表示装置の接続検出に対応して、前記第２の映像表示装置に対して前記３Ｄ映像を出力するように制御する［１］に記載の映像出力制御装置。
［８］
前記検出手段は、前記２Ｄ映像を前記３Ｄ映像へ変換可能に構成され且つ前記３Ｄ映像を出力可能に構成された第３の映像表示装置の接続を検出し、
前記制御手段は、前記第３の映像表示装置の接続検出に対応して、前記第３の映像表示装置に対して前記２Ｄ映像を出力するように制御する［１］に記載の映像出力制御装置。
［９］
前記検出手段は、前記２Ｄ映像を前記３Ｄ映像へ変換可能に構成され且つ前記３Ｄ映像を出力可能に構成された第３の映像表示装置の接続を検出し、さらに、前記第３の映像表示装置の３Ｄ変換能力を検出し、
前記制御手段は、前記第３の映像表示装置の３Ｄ変換能力が前記変換手段の３Ｄ変換能力より高い場合に、前記第３の映像表示装置の接続検出に対応して、前記第３の映像表示装置に対して前記２Ｄ映像を出力するように制御する［１］に記載の映像出力制御装置。
［１０］
前記制御手段は、前記第３の映像表示装置に対して３Ｄ変換の指示を出力するように制御する［８］又は［９］に記載の映像出力制御装置。
［１１］
前記変換手段は、前記第１の映像表示装置の接続検出に対応して、前記３Ｄ映像を前記２Ｄ映像へ変換し、
前記制御手段は、前記第１の映像表示装置の接続検出に対応して、前記第１の映像表示装置に対して前記２Ｄ映像を出力するように制御する［５］に記載の映像出力制御装置。
［１２］
映像表示装置の能力を検出し、
前記能力に基づき、前記映像表示装置に対して２Ｄ映像又は３Ｄ映像を出力するように制御する映像出力制御方法。